(57)【要約】【課題】間仕切壁の配置を自由に変更可能な家屋及びそのための接続部材並びに接続部材受容部形成装置を提供する。【解決手段】本発明に係る家屋１は、梁２と、梁２に対向して配置された床３と、一端９と他端１０とを有し、一端９が床３に、他端１０が梁２に着脱可能に取り付けられた間仕切壁５と、を備える。床３には、第１の板状体と、第１の板状体から突出して形成され側面に第１の貫通孔１０５を有する第１の凸状体１０４と、を備える第１の接続部材本体部１０１が設けられ、梁２には、第２の板状体１０６と、第２の板状体１０６から突出して形成され側面に第２の貫通孔１０８を有する第２の凸状体１０７と、を備える第２の接続部材本体部１０２が設けられるとよい。間仕切壁５には、第１の凸状体１０４を受容する第１の受容部１１５及び第２の凸状体１０７を受容する第２の受容部１１６が形成されるとよい。【選択図】図１
2018109293.tif 000002
【特許請求の範囲】
【請求項１】
梁と、
上記梁に対向して配置された床と、
一端と他端とを有し、上記一端が上記床に、上記他端が上記梁に着脱可能に取り付けられた間仕切壁と、を備える家屋。
【請求項２】
上記床には、上記床に固定される第１の板状体と、上記第１の板状体から突出して形成され側面に第１の貫通孔を有する第１の凸状体と、を備える第１の接続部材本体部が設けられるとともに、
上記梁には、上記梁に固定される第２の板状体と、上記第２の板状体から突出して形成され側面に第２の貫通孔を有する第２の凸状体と、を備える第２の接続部材本体部が設けられ、
上記間仕切壁には、上記第１の凸状体を受容する第１の受容部及び上記第２の凸状体を受容する第２の受容部が形成され、かつ、上記間仕切壁の側面から上記第１の受容部まで貫通する第３の貫通孔及び上記間仕切壁の側面から上記第２の受容部まで貫通する第４の貫通孔が形成され、
さらに、上記第１の貫通孔及び上記第３の貫通孔に第１のピンが挿通され、上記第２の貫通孔及び上記第４の貫通孔に第２のピンが挿通されている請求項１に記載の家屋。
【請求項３】
上記床には、第１の穴部が形成され、側面に第１の貫通孔を有する第１の接続部材本体部が上記第１の穴部に挿入されるとともに、
上記梁には、第２の穴部が形成され、上記梁の側面から上記第２の穴部まで第２の貫通孔が形成され、さらに、側面に第３の貫通孔及び第４の貫通孔を有する第２の接続部材本体部が上記第２の穴部に挿入され、
上記間仕切壁には、上記第１の接続部材本体部を受容する第１の受容部及び上記第２の接続部材本体部を受容する第２の受容部が形成され、かつ、上記間仕切壁の側面から上記第１の受容部まで貫通する第５の貫通孔及び上記間仕切壁の側面から上記第２の受容部まで貫通する第６の貫通孔が形成され、
さらに、上記第１の貫通孔及び上記第５の貫通孔に第１のピンが挿通され、上記第２の貫通孔及び上記第３の貫通孔に第２のピンが挿通され、上記第４の貫通孔及び上記第６の貫通孔に第３のピンが挿通されている請求項１に記載の家屋。
【請求項４】
さらに梯子を備え、
上記梯子は、一端と他端とを有し、上記一端が上記床に、上記他端が上記梁に着脱可能に取り付けられる請求項１、請求項２又は請求項３に記載の家屋。
【請求項５】
さらに柱を備え、
上記柱は、一端と他端とを有し、上記一端が上記床に、上記他端が上記梁に着脱可能に取り付けられる請求項１から請求項４のいずれか１項に記載の家屋。
【請求項６】
上記間仕切壁、上記梯子又は上記柱を安定して保持するための安定化手段をさらに備える請求項１から請求項５のいずれか１項に記載の家屋。
【請求項７】
板状体及び上記板状体から突出して形成され側面に貫通孔を有する凸状体を備える接続部材本体部と、
上記貫通孔に挿通されるピンと、を有する接続部材。
【請求項８】
上記板状体の上面視形状が正方形である請求項７に記載の接続部材。
【請求項９】
上記板状体の角部が丸みを帯びている請求項７又は請求項８に記載の接続部材。
【請求項１０】
棒状に形成され側面に貫通孔を有する接続部材本体部と、
上記貫通孔に挿通されるピンと、を有する接続部材。
【請求項１１】
接続部材を受容する受容部を形成するための接続部材受容部形成装置であって、
受容部が形成される部材を固定するための固定部と、
上記部材に受容部を形成可能な第一ドリルと、
上記部材の側面から上記受容部まで貫通するピン穴を形成可能な第二ドリルと、を備える接続部材受容部形成装置。
【発明の詳細な説明】
【技術分野】
【０００１】
本発明は、家屋及びそのための接続部材並びに接続部材受容部形成装置に関する。
【背景技術】
【０００２】
従来家屋としては、特開２０１４−１５９６８１号公報（特許文献１）に記載されたものがある。家屋内の空間が間仕切壁により区切られ、この間仕切壁により複数の部屋が形成されている。
【先行技術文献】
【特許文献】
【０００３】
【特許文献１】特開２０１４−１５９６８１号公報
【発明の概要】
【発明が解決しようとする課題】
【０００４】
しかしながら、上記従来の家屋では、間仕切壁は床及び梁部材から取り外しできないように設置されており、自由に間仕切壁の配置を変更することができない。
【０００５】
本発明は、上記課題に鑑みてなされたものであり、間仕切壁の配置を自由に変更可能な家屋及びそのための接続部材並びに接続部材受容部形成装置を提供することを目的とする。
【課題を解決するための手段】
【０００６】
上記課題を解決するため、本発明の一の態様に係る家屋は、梁と、上記梁に対向して配置された床と、一端と他端とを有し、上記一端が上記床に、上記他端が上記梁に着脱可能に取り付けられた間仕切壁と、を備えることを特徴とする。
【０００７】
上述の家屋によれば、間仕切壁の一端が床に、他端が梁に着脱可能に取り付けられているため、間仕切壁の配置を自由に変更することができる。
【０００８】
一の態様では、上記床には、上記床に固定される第１の板状体と、上記第１の板状体から突出して形成され側面に第１の貫通孔を有する第１の凸状体と、を備える第１の接続部材本体部が設けられるとともに、上記梁には、上記梁に固定される第２の板状体と、上記第２の板状体から突出して形成され側面に第２の貫通孔を有する第２の凸状体と、を備える第２の接続部材本体部が設けられ、上記間仕切壁には、上記第１の凸状体を受容する第１の受容部及び上記第２の凸状体を受容する第２の受容部が形成され、かつ、上記間仕切壁の側面から上記第１の受容部まで貫通する第３の貫通孔及び上記間仕切壁の側面から上記第２の受容部まで貫通する第４の貫通孔が形成され、さらに、上記第１の貫通孔及び上記第３の貫通孔に第１のピンが挿通され、上記第２の貫通孔及び上記第４の貫通孔に第２のピンが挿通されているとよい。このような構成とすることで、間仕切壁を床及び梁に着脱可能に取付けることができ、間仕切壁の配置を自由に変更することができる。
【０００９】
別の態様では、上記床には、第１の穴部が形成され、側面に第１の貫通孔を有する第１の接続部材本体部が上記第１の穴部に挿入されるとともに、
上記梁には、第２の穴部が形成され、上記梁の側面から上記第２の穴部まで第２の貫通孔が形成され、さらに、側面に第３の貫通孔及び第４の貫通孔を有する第２の接続部材本体部が上記第２の穴部に挿入され、上記間仕切壁には、上記第１の接続部材本体部を受容する第１の受容部及び上記第２の接続部材本体部を受容する第２の受容部が形成され、かつ、上記間仕切壁の側面から上記第１の受容部まで貫通する第５の貫通孔及び上記間仕切壁の側面から上記第２の受容部まで貫通する第６の貫通孔が形成され、さらに、上記第１の貫通孔及び上記第５の貫通孔に第１のピンが挿通され、上記第２の貫通孔及び上記第３の貫通孔に第２のピンが挿通され、上記第４の貫通孔及び上記第６の貫通孔に第３のピンが挿通されているとよい。このような構成とすることで、間仕切壁を床及び梁に着脱可能に取付けることが可能となり、容易に間仕切壁の配置を自由に変更することができる。さらに、第２の貫通孔及び第３の貫通孔に第２のピンが挿通されているため、間仕切壁をより強固に梁に取付けることができる。
【００１０】
さらに梯子を備えていてもよい。上記梯子は、一端と他端とを有し、上記一端が上記床に、上記他端が上記梁に着脱可能に取り付けられるとよい。このように家屋が梯子を備えることで、天井近くに設けた収納スペースに対して容易にアクセスすることが可能となる。また、梯子は床及び梁に対して着脱可能に取り付けられているため、梯子の配置を自由に変更することができる。
【００１１】
さらに柱を備えていてもよい。上記柱は、一端と他端とを有し、上記一端が上記床に、上記他端が上記梁に着脱可能に取り付けられるとよい。このように構成することで、柱の配置を自由に変更することができる。
【００１２】
上記間仕切壁、上記梯子又は上記柱を安定して保持するための安定化手段をさらに備えるとよい。このように安定化手段を備えることで、間仕切壁、梯子又は柱を安定化させることができる。
【００１３】
本発明の一の態様に係る接続部材は、板状体及び上記板状体から突出して形成され側面に貫通孔を有する凸状体を備える接続部材本体部と、上記貫通孔に挿通されるピンと、を有することを特徴とする。このような構成とすることで、部材同士を着脱可能に取付けることが可能となる。
【００１４】
上記板状体の上面視形状が正方形であるとよい。このように板状体の上面視形状を正方形とすることで、接続部材を製造容易とすることができる。
【００１５】
上記板状体の角部が丸みを帯びているとよい。このように板状体の角部に丸みを与えることで、接続部材の安全性を向上させることができる。
【００１６】
本発明の別の態様に係る接続部材は、棒状に形成され側面に貫通孔を有する接続部材本体部と、上記貫通孔に挿通されるピンと、を有することを特徴とする。このような構成とすることで、部材同士を着脱可能に取付けることが可能となる。
【００１７】
本発明の一の態様に係る接続部材受容部形成装置は、接続部材を受容する受容部を形成するための接続部材受容部形成装置であって、受容部が形成される部材を固定するための固定部と、上記部材に受容部を形成可能な第一ドリルと、上記部材の側面から上記受容部まで貫通するピン穴を形成可能な第二ドリルと、を備えることを特徴とする。このような構成とすることで、接続部材の受容部を形成することができる。
【発明の効果】
【００１８】
以上説明したように、本発明によれば、間仕切壁の配置を自由に変更可能な家屋及びそのための接続部材並びに接続部材受容部形成装置を提供することができる。
【図面の簡単な説明】
【００１９】
【図１】図１は、本発明の第一実施形態に係る家屋の内部を示した概略斜視図である。
【図２】図２は、図１のＡ−Ａ線断面図である。
【図３Ａ】図３Ａは、本発明の第一実施形態に係る家屋の床と間仕切壁との接続部分を横方向から見た概略図である。
【図３Ｂ】図３Ｂは、図３Ａの接続部分を縦方向から見た概略図である。
【図４】図４は、本発明の第一実施形態に係る家屋に用いられる接続部材の概略斜視図である。
【図５】図５は、本発明の第一実施形態に係る家屋の梁と間仕切壁との接続部分を示した概略図である。
【図６】図６は、本発明の第二実施形態に係る家屋の床と間仕切壁との接続部分を示した概略図である。
【図７】図７は、本発明の第二実施形態に係る家屋の梁と間仕切壁との接続部分を示した概略図である。
【図８】図８は、本発明の第三実施形態に係る家屋の床と間仕切壁との接続部分を示した概略図である。
【図９Ａ】図９Ａは、本発明の第三実施形態に係る家屋に用いられる接続部材及び安定化手段の概略斜視図である。
【図９Ｂ】図９Ｂは、図９Ａの接続部材及び安定化手段の一部を拡大して示した断面図である。
【図１０Ａ】図１０Ａは、回転抑制ピンを横方向から見た概略図である。
【図１０Ｂ】図１０Ｂは、回転抑制ピンを縦方向から見た概略図である。
【図１０Ｃ】図１０Ｃは、回転抑制ピンの断面図である。
【図１０Ｄ】図１０Ｄは、回転抑制ピンの側面図である。
【図１１Ａ】図１１Ａは、本発明の第四実施形態に係る家屋に用いられる接続部材を縦方向から見た概略図である。
【図１１Ｂ】図１１Ｂは、図１１Ａの接続部材を横方向から見た概略図である。
【図１２】図１２は、本発明の第四実施形態に係る家屋に用いられる安定化手段の概略図である。
【図１３】図１３は、本発明の第五実施形態に係る家屋に用いられる接続部材（これは安定化手段を兼ねる）の概略図である。
【図１４】図１４は、第六実施形態に係る接続部材受容部形成装置の概略図である。
【図１５】図１５は、第七実施形態に係る梯子の概略図である。
【図１６】図１６は、第八実施形態に係る柱の概略図である。
【発明を実施するための形態】
【００２０】
以下、図面に基づいて、本発明の実施の形態を詳細に説明する。本実施の形態は、本発明の理解を容易にするためのものであって、本発明を限定するものではない。以下の説明では、必要に応じて特定の方向や位置を示す用語（例えば、「上」、「下」を含む用語）を用いるが、その用語の使用は図面を参照した発明の理解を容易にするためであって、それらの用語の意味によって本発明の技術的範囲が限定されることはない。
【００２１】
＜第一実施形態＞
図１は、本発明の第一実施形態に係る家屋１の内部を示した概略図であり、図２は、そのＡ−Ａ線断面図である。図１及び図２に示すように、第一実施形態に係る家屋１は、互いに略平行に配置された複数の縦部材６に対して複数の横部材７が架け渡され、これら縦部材６及び横部材７が格子状に組み付けられた梁２と、梁２に対向して配置された床３と、梁２と床３との間に配置され、それらの間の空間８を取り囲む外壁４と、一端９と他端１０とを有し、一端９が床３に、他端１０が梁２に着脱可能に取り付けられ、空間８を間仕切可能な間仕切壁５と、を備える。当該家屋１は、間仕切壁５の一端９が床３に、他端１０が梁２に着脱可能に取り付けられるように構成されているため、間仕切壁５の配置を自由に変更することができる。
【００２２】
図３Ａは、床３と間仕切壁５との接続部分を横方向（間仕切壁５の主面に対して垂直な方向）から見た概略図であり、図３Ｂは、それを縦方向（間仕切壁５の主面に対して水平な方向）から見た概略図である。また、図４は、接続部材の概略斜視図である。図３Ａ、図３Ｂ及び図４に示すように、床３には、床３と間仕切壁５とを着脱可能に接続するための第１の接続部材１０１が設けられている。第１の接続部材１０１は、床３に固定される第１の板状体１０３と、第１の板状体１０３から突出して形成され側面に一対の第１の貫通孔１０５を有する第１の凸状体１０４と、を備える。
【００２３】
第１の板状体１０３の上面視形状としては、特に限定されるものではなく如何なる形状であってもよいが、例えば矩形、正方形、円形、楕円形等が挙げられる。上面視形状としては特に正方形が好ましい。第１の板状体１０３の上面視形状を正方形とすることで、接続部材を製造容易とすることができる。
【００２４】
第１の板状体１０３の角部が丸みを帯びているとよい。第１の板状体１０３の角部に丸みを付与することで第１の接続部材１０１の安全性を向上させることができる。
【００２５】
第１の板状体１０３の角部が丸みを帯びている場合において、その角部の丸みの曲率半径は所定の範囲内にあるとよい。上記曲率半径の下限としては、３０ｍｍが好ましく、３５ｍｍがより好ましく、４０ｍｍがさらに好ましい。一方、上記曲率半径の上限としては、６０ｍｍが好ましく、５５ｍｍがより好ましく、５０ｍｍがさらに好ましい。上記曲率半径が上記下限より小さいと、角部が鋭利な状態となり安全性が確保できないおそれがある。一方、上記曲率半径が上記上限より大きいと、間仕切壁５と床３との間のスペースが大きくなりゴミ等が溜まりやすくなるおそれがある。
【００２６】
第１の板状体１０３の厚さは、特に限定されるものではなく、強度を十分確保することができる限り任意に設定することができる。上記厚さの下限としては、２ｍｍが好ましく、３ｍｍがより好ましく、４ｍｍがさらに好ましい。一方、上記厚さの上限としては、７ｍｍが好ましく、６ｍｍがより好ましく、５ｍｍがさらに好ましい。上記厚さが上記下限より小さいと、第１の板状体１０３の強度を十分確保することができなくなるおそれがある。一方、上記厚さが上記上限より大きいと、第１の板状体１０３の側面が見えやすくなり、家屋１の意匠性が低下するおそれがある。
【００２７】
第１の凸状体１０４の形状としては、以下に限定される訳ではないが、例えば円柱状、楕円柱状、角柱状等が挙げられる。これらの中で特に円柱状が好ましい。第１の凸状体１０４の形状を円柱状とすることで、第１の接続部材１０１を製造容易とすることができる。
【００２８】
第１の凸状体１０４の長さは、特に限定されることはなく、任意に設定することができる。上記長さの下限としては、５０ｍｍが好ましく、６０ｍｍがより好ましく、７０ｍｍがさらに好ましい。一方、上記長さの上限としては、１００ｍｍが好ましく、９０ｍｍがより好ましく、８０ｍｍがさらに好ましい。上記長さが上記下限より小さいと、床３と間仕切壁５とのぐらつきが大きくなるおそれがある。一方、上記長さが上記上限より大きいと、間仕切壁５に形成される第１の受容部１１５が必然的に深くなり間仕切壁５の製造が難しくなるおそれがある。
【００２９】
一対の第１の貫通孔１０５が、第１の凸状体１０４の側面の互いに対向する位置に設けられている。このように第１の貫通孔１０５を第１の凸状体１０４の側面の互いに対向する位置に設けることで、第１のピン１２０を一対の第１の貫通孔１０５に挿通させることができ、間仕切壁５を床３及び梁２に対してより強固に接続することができる。
【００３０】
第１の貫通孔１０５の形状としては、特に限定されるものではなく、第１のピン１２０を受容することが可能であれば如何なる形状であってもよく、例えば円形、楕円形、矩形、正方形等が挙げられる。これらの中で特に円形が好ましい。上記のように第１の貫通孔１０５の形状を円形とすることで、第１の接続部材１０１を製造容易とすることができる。
【００３１】
第１の貫通孔１０５の形状が円形である場合において、第１の貫通孔１０５の直径は、特に限定される訳ではなく、任意に設定することができる。上記直径の下限としては、５ｍｍが好ましく、７ｍｍがより好ましく、９ｍｍがさらに好ましい。一方、上記直径の上限としては、１５ｍｍが好ましく、１３ｍｍがより好ましく、１１ｍｍがさらに好ましい。上記直径が上記下限より小さいと、第１のピン１２０の直径も必然的に小さくなり、第１のピン１２０の強度を保てなくなるおそれがある。一方、上記直径が上記上限より大きいと、第１の貫通孔１０５の周りの部分の構成材料が少なくなり第１の凸状体１０４の強度が低下するおそれがある。
【００３２】
図５は、梁２と間仕切壁５との接続部分を示した概略図である。図５に示すように、梁２には、梁２と間仕切壁５とを着脱可能に接続するための第２の接続部材１０２が設けられている。第２の接続部材１０２は、梁２に固定される第２の板状体１０６と、第２の板状体１０６から突出して形成され側面に第２の貫通孔１０８を有する第２の凸状体１０７と、を備える。第２の接続部材１０２としては、第１の接続部材１０１と同様のものを使用することができるため、説明は省略する。
【００３３】
図３Ａ及び図３Ｂに示すように間仕切壁５の下端には、第１の凸状体１０４を受容する第１の受容部１１５が形成され、図５に示すように間仕切壁５の上端には、第２の凸状体１０７を受容する第２の受容部１１６が形成されている。第１の受容部１１５及び第２の受容部１１６はそれぞれ２つずつ設けられているがそれ以上設けてもよい。
【００３４】
第１の受容部１１５の形状は、以下に限定される訳ではないが、第１の接続部材１０１の第１の凸状体１０４の形状と略一致するように形成するとよい。このように第１の受容部１１５をその形状が第１の接続部材１０１の第１の凸状体１０４の形状と一致するように形成することで、床３と間仕切壁５とのぐらつきを抑制することができる。第１の受容部１１５の形状としては、以下に限定される訳ではないが、例えば円柱状、角柱状等が挙げられる。
【００３５】
第１の受容部１１５の最大内径と第１の凸状体１０４の最大外径との差の下限としては、１ｍｍが好ましく、２ｍｍがより好ましく、３ｍｍがさらに好ましい。一方、上記差の上限としては、１０ｍｍが好ましく、９ｍｍがより好ましく、８ｍｍがさらに好ましい。上記差が上記下限より小さいと、間仕切壁５を床３に取り付ける作業の効率が低下するおそれがある。一方、上記差が上記上限より大きいと、間仕切壁５と床３とのぐらつきが大きくなるおそれがある。
【００３６】
図３Ｂに示すように、第３の貫通孔１１７が間仕切壁５の一方の主面１１８及びもう一方の主面１１９から第１の受容部１１５までそれぞれ形成されている。これらの第３の貫通孔１１７は、上述の一対の第１の貫通孔１０５に連続するように一直線上に配置され、これらの第３の貫通孔１１７と上述の一対の第１の貫通孔１０５に第１のピン１２０が挿通されている。
【００３７】
図５に示すように、第４の貫通孔１２１が間仕切壁５の一方の主面１２２及びもう一方の主面１２３から第２の受容部１１６までそれぞれ形成されている。これらの第４の貫通孔１２１は、上述の一対の第２の貫通孔１０８に連続するように一直線上に配置され、これらの第４の貫通孔１２１と上述の一対の第２の貫通孔１０８に第２のピン１２３が挿通されている。
【００３８】
第一実施形態に係る家屋１によれば、床３と間仕切壁５とが第１の接続部材１０１により、梁２と間仕切壁５とが第２の接続部材１０２により着脱可能に取り付けられるため、間仕切壁５の配置を自由に変更することができる。
【００３９】
＜第二実施形態＞
図６は、本発明の第二実施形態に係る家屋１の床３と間仕切壁５との接続部分を示した概略図である。図６に示すように、床３には第１の穴部２０１が形成されるとともに、この第１の穴部２０１に床３と間仕切壁５とを着脱可能に接続するための第１の接続部材２０３が挿入されている。第１の接続部材２０３の本体部２０５には、その側面の間仕切壁５に挿入される側に第１の貫通孔２０７が形成されている。第二実施形態では第１の穴部２０１及び第１の接続部材２０３はそれぞれ２つずつ設けられているが、各々３以上設けてもよい。
【００４０】
第１の接続部材２０３の本体部２０５の断面形状、直径等は、第一実施形態の第１の凸状体１０４と同様とすることができ、また、第１の接続部材２０３の本体部２０５に設けられる第１の貫通孔２０７の形状、直径等も第一実施形態の第１の凸状体１０４の第１の貫通孔１０５と同様とすることができる。
【００４１】
図７は、本発明の第二実施形態に係る家屋１における梁２と間仕切壁５との接続部分を示した概略図である。図７に示すように、梁２には第２の穴部２０２が形成され、梁２を構成する縦部材６又は横部材７の一方の側面２０８及びもう一方の側面２０９から第２の穴部２０２まで貫通する第２の貫通孔２１０がそれぞれ形成されるとともに、この第２の穴部２０２に梁２と間仕切壁５とを着脱可能に接続するための第２の接続部材２０４が挿入されている。第２の接続部材２０４の本体部２０６には、その側面に一対の第３の貫通孔２１１及び一対の第４の貫通孔２１２が形成されている。第３の貫通孔２１１が第２の接続部材２０４の梁２に挿入される側に、第４の貫通孔２１２がその間仕切壁５に挿入される側に設けられている。一対の第２の貫通孔２１０と一対の第３の貫通孔２１１とが一直線上に配置され、これらの貫通孔に第２のピン２１３が挿通されている。
【００４２】
間仕切壁５の下端に第１の接続部材２０３を受容する第１の受容部２１５が２つ形成され、上端に第２の接続部材２０４を受容する第２の受容部２１６が２つ形成されている。第１の受容部２１５及び第２の受容部２１６は、第一実施形態と同様に形成することができる。
【００４３】
図６に示すように、間仕切壁５の下端側に第５の貫通孔２１７が形成されている。第５の貫通孔２１７は、間仕切壁５の一方の主面２１８及びもう一方の主面２１９から第１の受容部２１５までそれぞれ形成されている。これらの第５の貫通孔２１７は、上述の第１の貫通孔２０７に連続するように一直線上に配置され、これらの第５の貫通孔２１７と上述の一対の第１の貫通孔２０７に第１のピン２２０が挿通されている。
【００４４】
図７に示すように、間仕切壁５の上端側に第６の貫通孔２２１が形成されている。第６の貫通孔２２１は、間仕切壁５の一方の主面２２２及びもう一方の主面２２３から第２の受容部２１６までそれぞれ形成されている。これらの第６の貫通孔２２１は、上述の第４の貫通孔２１２に連続するように一直線上に配置され、これらの第６の貫通孔２２１と上述の一対の第４の貫通孔２１２に第３のピン２２４が挿通されている。
【００４５】
第二実施形態に係る家屋１によれば、床３と間仕切壁５とが第１の接続部材２０３により、梁２と間仕切壁５とが第２の接続部材２０４により着脱可能に取り付けられるため、間仕切壁５の配置を自由に変更することができる。また、梁２と第２の接続部材２０４とは第２のピン２１３により接続されるため、間仕切壁５を梁２に対してより強固に固定することができる。
【００４６】
＜第三実施形態＞
図８は、本発明の第三実施形態に係る家屋１の床３と間仕切壁５との接続部分を示した概略図、図９Ａは、接続部材及び安定化手段の概略斜視図、図９Ｂは、その一部を拡大して示した断面図である。図８、図９Ａ及び図９Ｂに示すように、第一実施形態と同様の第１の接続部材３０１の周りに第１の接続部材３０１を安定して固定するための安定化手段が設けられている。安定化手段は、第１の凸状体３０４の外周を覆うように設けられた一対の湾曲体３３１から構成される。一対の湾曲体３３１の両者にそれぞれ第７の貫通孔３３２が形成されている。第１の凸状体３０４に設けられた一対の第１の貫通孔３０５、一対の湾曲体３３１のそれぞれに設けられた第７の貫通孔３３２、間仕切壁５に設けられた一対の第３の貫通孔３１７は、これらを取り付けた状態において一直線上に配置され、これらの貫通孔には第１のピン３２０が挿通されている。第１のピン３２０の外表面には螺旋状のネジ山３３３が形成されている。第１のピン３２０の長手方向中心面３３４について螺旋の回転方向が反対になっており、鏡像の関係になっている。図９Ｂに示された第１のピン３２０は、その中心面３３４から一端３３５に進むにしたがって、ネジ山３３３の峰が左回りに旋回するよう、またその中心面３３４から他端３３６に進むにしたがって、ネジ山３３３の峰が右回りに旋回するよう構成されている。両側のネジ山３３３のピッチ、高さ、幅、形状等は略一致するように形成されている。一方、第７の貫通孔３３２の内壁には螺旋状のネジ溝３３７が形成されている。図９Ｂに示すように、一対の湾曲体３３１の一方に設けられた第７の貫通孔３３２には、内側面３３８から外側面３３９に向かって右回りに旋回するネジ溝３３７が形成されている。一方、一対の湾曲体３３１のもう一方に設けられた第７の貫通孔３３２には、内側面３３８から外側面３３９に向かって左回りに旋回するネジ溝３３７が形成されている。このように構成することで、第１のピン３２０を他端３３６から一端３３５に向かって見て左回りに回転させた際、一対の湾曲体３３１の一方ともう一方とが互いに近づいてこれらが第１の凸状体３０４を把持する。これにより、間仕切壁５が床３と梁２とに安定して保持される。このように家屋１が安定化手段３３０を備えることで、間仕切壁５のぐらつきを抑制することができる。
【００４７】
第三実施形態の家屋１によれば、間仕切壁５の配置を自由に変更することができるとともに、この間仕切壁５を床３と梁２とに安定して固定することができる。
【００４８】
別の態様では、ネジ山とネジ溝の旋回方向を反対とすることができる。第１のピンを反対方向（右回り）に回すことで第１の凸状体を一対の湾曲体により把持することができる。
【００４９】
さらに別の態様では、ネジ山とネジ溝とを入れ替えてもよい。すなわち、一対の湾曲体に設けられた第７の貫通孔の内壁にネジ山を形成し、第１のピンの外表面にネジ溝を形成してもよい。
【００５０】
さらに別の態様では、図１０Ａ〜Ｄに示すように、第１のピン３２０がその回転を抑制する回転抑制ピン３４０を備えていてもよい。このように第１のピン３２０が回転抑制ピン３４０を備えることで、第１のピン３２０の緩みを抑制することができる。回転抑制ピン３４０は、第１のピン３２０の中心軸３４１に対して垂直に設けられた貫通孔３４２に挿通されているとよい。このように回転抑制ピン３４０を第１のピン３２０の中心軸３４１に対して垂直に設けることで第１のピン３２０の回転を効果的に抑制することができる。
【００５１】
回転抑制ピン３４０は、収縮可能に構成されるとよい。このように回転抑制ピン３４０を収縮可能に構成することで、第１のピン３２０を回転させたいときに回転抑制ピン３４０の両端を中心方向に押圧して第１のピン３２０の回転抑制を解除することができる。回転抑制ピン３４０は、図１０Ｃに示すように、一方が他方に対して摺動可能な一対の有底筒状体３４２、３４３と、一対の有底筒状体３４２、３４３の内部に収容されるバネ３４４と、を有する。一対の有底筒状体３４２、３４３は、それぞれ円柱状に形成され、他方の有底筒状体３４３の開口に、一方の有底筒状体３４２がその開口側から挿入されている。一対の有底筒状体３４２、３４３は、一方の有底筒状体３４２の外径が他方の有底筒状体３４３の内径と略一致するように構成するとよい。このように構成することで、回転抑制ピン３４０の収縮拡張動作の際、一方の有底筒状体３４２の中心軸３４５と他方の有底筒状体３４３の中心軸３４６とを略平行に保持することができ、回転抑制ピン３４０を安定して動作させることができる。バネ３４４の一端側が、一方の有底筒状体３４２の底部に当接し、他端側が他方の有底筒状体３４３の底部に当接している。このバネ３４４により、一対の有底筒状体３４２、３４３が互いに離れる方向に付勢されている。一方の有底筒状体３４２の外表面の開口側にその外表面から外側に突出してリミッター用突起部３４７が形成されている。一方、他方の有底筒状体３４３にリミッター用突起部３４７を受容する長孔３４８が他方の有底筒状体３４３の中心軸に沿って設けられている。このようにリミッター用突起部３４７とこれを受容する長孔３４８とを設けることで、一対の有底筒状体３４２、３４３がある一定の距離以上に離れることを抑制しつつこれらを摺動させることができる。以上のように構成することで、回転抑制ピン３４０を収縮可能とすることができる。
【００５２】
図１０Ｂに示すように、回転抑制ピン３４０を備える第１のピン３２０が挿入される第３の貫通孔３１７の挿入口付近の木材表面には回転抑制ピン３４０を受容する回転抑制ピン受容溝３５０が開口して形成されているとよい。回転抑制ピン３４０が回転抑制ピン受容溝３５０に嵌合することで第１のピン３２０の回転を抑制することができる。回転抑制ピン受容溝３５０を木材表面に開口して形成することで、回転抑制ピン受容溝３５０に嵌合された回転抑制ピン３４０を容易に収縮させることができる。
【００５３】
また、さらに別の態様では、第二実施形態に係る家屋１において上述の安定化手段を適用することができる。このように構成することで、上記同様、間仕切壁５の配置を自由に変更することができるとともに、この間仕切壁５を床３と梁２との間に安定して固定することができる。
【００５４】
なお、ここでは床３と間仕切壁５とを接続する第１の接続部材３０１に安定化手段３３０を適用しているが、梁２と間仕切壁５とを接続する第２の接続部材３０２に上述の安定化手段３３０を適用してもよい。
【００５５】
＜第四実施形態＞
図１１Ａは、本発明の第四実施形態に係る家屋１に用いられる接続部材４２０を縦方向（接続部材４２０の中心軸方向）から見た概略図、図１１Ｂは、それを横方向（接続部材４２０の中心軸に垂直な方向）から見た概略図、図１２は、安定化手段の概略図である。図１１Ａ、図１１Ｂ及び図１２に示すように、第一実施形態と同様の第１の接続部材４０１の第３の貫通孔４１７に中空状の第１のピン４２０が挿入される。第１のピン４２０は、先端部分４３０のみ繋がっており、２つに分岐することで足部４３２が形成されている。足部４３２の間の空洞にテイパー状の押圧ピン４３４が挿入され、それにより足部４３２が外側に広げられる。第１のピン４２０を第３の貫通孔４１７及び第１の貫通孔４０５に挿入した後、その空洞に押圧ピン４３４を挿入することで、足部４３２が外側に広げられ、このようにして広げられた第１のピン４２０が第１の貫通孔４０５及び第３の貫通孔４１７の内壁に接触しそれらの内部で固定される。これにより、間仕切壁５と床３とが強固に固定され、間仕切壁５の安定性が向上する。押圧ピン４３４は、第１のピン４２０を拡張させることができれば、特にピン状のものに限定されず、球状であってもよい。
【００５６】
図１１Ａに示すように、一対の足部４３２の互いに対向する内側面４３５のそれぞれに、押圧ピン４３４の横ズレを防止するための溝４３６が形成されている。この溝４３６は、押圧ピン４３４の中心軸と平行な方向に設けられている。このように足部４３２の内側面４３５に溝４３６を設けることで、押圧ピン４３４のその中心軸に対して略垂直な方向の横ズレを抑制することができる。
【００５７】
溝４３６の中心軸に垂直な断面における形状は、特に限定されず、上述の横ズレを抑制することができる限り任意の形状とすることができるが、例えば半円状、半楕円状、三角形状等が挙げられる。このような断面形状としては、特に半円状が好ましい。このように断面形状を半円状とすることで、押圧ピン４３４を第１のピン４２０の内部に安定して保持することができる。
【００５８】
第四実施形態の家屋１によれば、間仕切壁５の配置を自由に変更することができるとともに、この間仕切壁５を床３と梁２とに安定して固定することができる。
【００５９】
別の態様では、第二実施形態に係る家屋１において上述の安定化手段を適用することができる。
【００６０】
また、上記同様梁２と間仕切壁５とを接続する第２の接続部材４０２に上述の安定化手段を適用してもよい。
【００６１】
＜第五実施形態＞
図１３は、本発明の第五実施形態に係る家屋に用いられる接続部材の概略図である。図１３に示すように、第一実施形態に係るものと同様の第１の接続部材５０１の第３の貫通孔５１７にテイパー状の第１のピン５２０が挿入される。このように構成することで、第１のピン５２０が奥に押し進められるにしたがって、第１のピン５２０の外表面が第１の貫通孔５０５及び第３の貫通孔５１７の内壁を押圧する。これにより間仕切壁５の床３及び梁２に対するぐらつきを抑制することができる。
【００６２】
テイパー角αは、特に限定されず、上述のように間仕切壁５のぐらつきを抑制することができる限り任意に設定することができる。テイパー角αの下限としては、０．１°が好ましく、０．５°がより好ましく、１°がさらに好ましい。一方、テイパー角αの上限としては、１０°が好ましく、７°がより好ましく、４°がさらに好ましい。テイパー角αを上記範囲とすることで、間仕切壁５のぐらつきを効果的に抑制することができる。
【００６３】
第五実施形態の家屋１によれば、間仕切壁５の配置を自由に変更することができるとともに、より簡単な構成で間仕切壁５を床３と梁２とに安定して固定することができる。なお、上記同様梁２と間仕切壁５とを接続する第２の接続部材５０２に上述の安定化手段を適用してもよいことは理解されよう。
【００６４】
＜第六実施形態＞
図１４は、第六実施形態に係る接続部材受容部形成装置６３０の概略図である。受容部が形成される部材（例えば木材）６３１の端面に受容部６３２を形成し、木材６３１の側面に受容部６３２まで貫通するピン穴６３３を形成する。この接続部材受容部形成装置６３０は、木材６３１を固定するための固定部６３４と、木材６３１に受容部６３２を形成可能な第一ドリル６３５と、ピン穴６３６を形成可能な第二ドリル６３７と、を備える。第一ドリル６３５は、その回転軸が第一ドリル６３５と木材６３１とが近づく方向と平行になるように配置され、第一ドリル６３５を回転させながら木材６３１を削ることにより木材６３１の端面に有底の受容部６３２を形成することができる。また、第二ドリル６３７を回転させつつ木材６３１の側面から受容部６３２まで第一ドリル６３５の回転軸と垂直な方向に進行させることにより木材６３１の側面にピン穴６３３を形成することができる。
【００６５】
上述の接続部材受容部形成装置６３０によれば、接続部材を受容するための受容部を木材に容易に形成することができる。
【００６６】
＜第七実施形態＞
図１５は、第七実施形態に係る梯子７３０の概略図である。第七実施形態に係る梯子７３０は、一端と他端とを有し、一端が床３に、他端が梁２に着脱可能に取り付けられている。ここで、梯子７３０の接続手段として、第一実施形態又は第二実施形態に記載された接続部材を使用することができる。このように構成することで、梯子７３０の配置を自由に変更することができる。また、梯子７３０のための安定化手段として、第三実施形態〜第五実施形態に記載された安定化手段を使用することができる。これにより、梯子７３０を家屋１内に安定して固定することができる。
【００６７】
＜第八実施形態＞
図１６は、第八実施形態に係る柱８３０の概略図である。第八実施形態に係る柱８３０は、一端と他端とを有し、一端が床３に、他端が梁２に着脱可能に取り付けられている。ここで、柱８３０の接続手段として、第一実施形態又は第二実施形態に記載された接続部材を使用することができる。これにより、柱８３０の配置を自由に変更することができる。また、柱８３０のための安定化手段として、第三実施形態〜第五実施形態に記載された安定化手段を使用することができる。これにより、柱８３０を家屋１内に安定して固定することができる。
【産業上の利用可能性】
【００６８】
以上のように、本発明に係る接続部材は間仕切壁等の配置を自由に変更することができるため、構成部材の自由設計が必要とされるあらゆる建築物に好適に適用することができる。
【符号の説明】
【００６９】
１  家屋
２  梁
３  床
４  外壁
５  間仕切壁
【図１】
2018109293.tif 000003
【図２】
2018109293.tif 000004
【図３Ａ】
2018109293.tif 000005
【図３Ｂ】
2018109293.tif 000006
【図４】
2018109293.tif 000007
【図５】
2018109293.tif 000008
【図６】
2018109293.tif 000009
【図７】
2018109293.tif 000010
【図８】
2018109293.tif 000011
【図９Ａ】
2018109293.tif 000012
【図９Ｂ】
2018109293.tif 000013
【図１０Ａ】
2018109293.tif 000014
【図１０Ｂ】
2018109293.tif 000015
【図１０Ｃ】
2018109293.tif 000016
【図１０Ｄ】
2018109293.tif 000017
【図１１Ａ】
2018109293.tif 000018
【図１１Ｂ】
2018109293.tif 000019
【図１２】
2018109293.tif 000020
【図１３】
2018109293.tif 000021
【図１４】
2018109293.tif 000022
【図１５】
2018109293.tif 000023
【図１６】
2018109293.tif 000024